(57)【特許請求の範囲】
【請求項１】
少なくとも、顧客が提供したフィルムを現像する手段と、現像したフィルムから複数の静止画像データを読み取る手段と、各々の前記静止画像データに対して、予め定められた一画像当たりの表示時間から計算される数量の、該静止画像データとの差分を示す差分データを生成する手段と、前記各々の静止画像データに前記差分データを付加して動画データを生成する手段と、ディスク型情報記録媒体の内周側の情報記録領域に前記動画データを記録し、その外周の情報記録領域に、少なくとも、前記複数の静止画像データとコンピュータを前記複数の静止画像データをスライド表示させるための手段として機能させるスライドショー実行プログラムとを記録する手段とを有することを特徴とする動画データ生成システム。
【請求項２】
少なくとも、顧客が提供した情報記録媒体から複数の静止画像データを読み取る手段と、各々の前記静止画像データに対して、予め定められた一画像当たりの表示時間から計算される数量の、該静止画像データとの差分を示す差分データを生成する手段と、前記各々の静止画像データに前記差分データを付加して動画データを生成する手段と、ディスク型情報記録媒体の内周側の情報記録領域に前記動画データを記録し、その外周の情報記録領域に、少なくとも、前記複数の静止画像データとコンピュータを前記複数の静止画像データをスライド表示させるための手段として機能させるスライドショー実行プログラムとを記録する手段とを有することを特徴とする動画データ生成システム。
【請求項３】
少なくとも、顧客が提供したフィルムを現像する手段と、現像したフィルムから複数の静止画像データを読み取る手段と、情報記録媒体に、少なくとも、前記複数の静止画像データと、コンピュータを前記静止画像データをスライド表示させるための手段として機能させるスライドショー実行プログラムと、コンピュータを各々の前記静止画像データに対して、予め定められた一画像当たりの表示時間から計算される数量の、該静止画像データとの差分を示す差分データを生成し、前記各々の静止画像データに前記差分データを付加して動画データを生成する手段として機能させる動画データ生成プログラムと、を記録する手段とを有することを特徴とする動画データ生成システム。
【請求項４】
少なくとも、顧客が提供した情報記録媒体から複数の静止画像データを読み取る手段と、情報記録媒体に、少なくとも、前記複数の静止画像データと、コンピュータを前記静止画像データをスライド表示させるための手段として機能させるスライドショー実行プログラムと、コンピュータを各々の前記静止画像データに対して、予め定められた一画像当たりの表示時間から計算される数量の、該静止画像データとの差分を示す差分データを生成し、前記各々の静止画像データに前記差分データを付加して動画データを生成する手段として機能させる動画データ生成プログラムと、を記録する手段とを有することを特徴とする動画データ生成システム。
【請求項５】
前記差分データは、対応する前記静止画像データとの差分が０のデータであることを特徴とする請求項１乃至４のいずれか一に記載の動画データ生成システム。
【請求項６】
前記差分データは、対応する前記静止画像データとの差分が０のデータと、予め定められた画面切り替え効果に基づいて計算された変化データとで構成され、前記動画データ生成手段では、前記静止画像データに、前記差分が０のデータと前記変化データとがこの順で付加されることを特徴とする請求項１乃至４のいずれか一に記載の動画データ生成システム。
【請求項７】
少なくとも、現像手段を用いて顧客が提供したフィルムを現像するステップと、読み取り手段を用いて現像したフィルムから静止画像データを読み取るステップと、差分データ生成手段により、各々の前記静止画像データに対して、予め定められた一画像当たりの表示時間から計算される数量の、該静止画像データとの差分を示す差分データを生成するステップと、動画データ生成手段により、前記各々の静止画像データに前記差分データを付加して動画データを生成するステップと、記録手段を用いて、ディスク型情報記録媒体の内周側の情報記録領域に前記動画データを記録し、その外周の情報記録領域に、少なくとも、前記複数の静止画像データとコンピュータを前記複数の静止画像データをスライド表示させるための手段として機能させるスライドショー実行プログラムとを記録するステップとを有することを特徴とする動画データ生成方法。
【請求項８】
少なくとも、読み取り手段を用いて顧客が提供した情報記録媒体から静止画像データを読み取るステップと、差分データ生成手段により、各々の前記静止画像データに対して、予め定められた一画像当たりの表示時間から計算される数量の、該静止画像データとの差分を示す差分データを生成するステップと、動画データ生成手段により、前記各々の静止画像データに前記差分データを付加して動画データを生成するステップと、記録手段を用いて、ディスク型情報記録媒体の内周側の情報記録領域に前記動画データを記録し、その外周の情報記録領域に、少なくとも、前記複数の静止画像データとコンピュータを前記複数の静止画像データをスライド表示させるための手段として機能させるスライドショー実行プログラムとを記録するステップとを有することを特徴とする動画データ生成方法。
【請求項９】
少なくとも、現像手段を用いて顧客が提供したフィルムを現像するステップと、読み取り手段を用いて現像したフィルムから複数の静止画像データを読み取るステップと、記録手段を用いて、情報記録媒体に、少なくとも、前記複数の静止画像データと、コンピュータを前記複数の静止画像データをスライド表示させるための手段として機能させるスライドショー実行プログラムと、コンピュータを各々の前記静止画像データに対して予め定められた一画像当たりの表示時間から計算される数量の差分データを生成し、前記各々の静止画像データに前記差分データを付加して動画データを生成する手段として機能させる動画データ生成プログラムと、を記録するステップとを有することを特徴とする動画データ生成方法。
【請求項１０】
少なくとも、読み取り手段を用いて顧客が提供した情報記録媒体から複数の静止画像データを読み取るステップと、記録手段を用いて、情報記録媒体に、少なくとも、前記複数の静止画像データと、コンピュータを前記複数の静止画像データをスライド表示させるための手段として機能させるスライドショー実行プログラムと、コンピュータを各々の前記静止画像データに対して予め定められた一画像当たりの表示時間から計算される数量の差分データを生成し、前記各々の静止画像データに前記差分データを付加して動画データを生成する手段として機能させる動画データ生成プログラムと、を記録するステップとを有することを特徴とする動画データ生成方法。
【請求項１１】
前記差分データは、対応する前記静止画像データとの差分が０のデータであることを特徴とする請求項７乃至１０のいずれか一に記載の動画データ生成方法。
【請求項１２】
前記差分データは、対応する前記静止画像データとの差分が０のデータと、予め定められた画面切り替え効果に基づいて計算された変化データとで構成されることを特徴とする請求項７乃至１０のいずれか一に記載の動画データ生成方法。
【発明の詳細な説明】
【０００１】
【発明の属する技術分野】
本発明は、顧客が提供した静止画像データを基にして動画データを生成する動画データ生成システム及び動画データ生成方法に関する。
【０００２】
【従来の技術】
近年、カメラで撮影した写真をデジタル画像データとして取り扱う顧客が増えている。例えば、デジタルカメラでは、メモリーカード等の情報記録媒体に記憶された画像データをパソコン等のコンピュータ端末で読み込み、パソコンにインストールされた画像表示ソフトを用いて再生することにより写真画像をパソコン上で閲覧することができる。
【０００３】
また、フィルムカメラで撮影した写真をデジタルデータに変換するサービスも行われており、例えば、ラボ等のフォトサービス店舗やコンビニエンスストア等の注文店舗に顧客が撮影したネガフィルムを持ち込むと、フォトサービス店舗では、ネガフィルムを現像した後、スキャナ等で画像データを読み取り、読み取った画像データをＣＤ−Ｒ等の情報記録媒体に書き込むといったサービスが行われている。
【０００４】
そして、画像データが書き込まれたＣＤ−Ｒ等の情報記録媒体を受け取った顧客は、自宅のパソコンで画像表示ソフトを用いて再生することにより、パソコン上で写真画像を閲覧することができ、デジタルカメラを所有していない顧客であっても、写真をデジタル画像データとして取り扱うことができる。
【０００５】
【発明が解決しようとする課題】
しかしながら、上述したサービスは画像データをパソコン等のコンピュータ端末で閲覧することを前提としているため、画像データを見るためにはパソコンが必要であり、かつ、パソコンの操作にある程度習熟していることが求められる。
従ってパソコン操作に不慣れな顧客にとっては、情報記録媒体を受け取っても写真画像をプリントとして出力する場合のように気軽に楽しむことはできない。
【０００６】
また、電子アルバムソフトやスライドショーソフトを利用して連続的に画像データを表示させる方法もあるが、この場合も、予めパソコンに電子アルバムソフトやスライドショーソフトがインストールされていなければならず、また、ソフトの操作も顧客が行わなければならないため、パソコンに不慣れな顧客にとってはこのような方法で写真画像を閲覧することは困難である。
【０００７】
一方、近年、ＤＶＤプレーヤーのような家庭用動画再生機器が低価格で提供されるようになってきており、これらの家庭用動画再生機器は一般の家電製品と同様に簡単な操作で画像や音声を再生することができ、パソコン操作に不慣れな顧客でも容易に操作することができる。しかし、このような家庭用動画再生機器は、通常、静止画を記録するフォーマットであるＪＰＥＧなどを再生することはできないため、フィルムから読み取った写真画像やデジタルカメラで取得した写真画像をこれらの画像再生機器を利用して再生することはできない。
【０００８】
本発明は、上記問題点に鑑みてなされたものであって、その主たる目的は、ＤＶＤプレーヤーのような家庭用動画再生機器でも、パソコン等のコンピュータ端末でも簡単に写真画像を閲覧することができる動画データ生成システム及び動画データ生成方法を提供することにある。
【０００９】
【問題を解決するための手段】
上記目的を達成するため、本発明の動画データ生成システムは、少なくとも、顧客が提供したフィルムを現像する手段と、現像したフィルムから複数の静止画像データを読み取る手段と、各々の前記静止画像データに対して、予め定められた一画像当たりの表示時間から計算される数量の、該静止画像データとの差分を示す差分データを生成する手段と、前記各々の静止画像データに前記差分データを付加して動画データを生成する手段と、ディスク型情報記録媒体の内周側の情報記録領域に前記動画データを記録し、その外周の情報記録領域に、少なくとも、前記複数の静止画像データとコンピュータを前記複数の静止画像データをスライド表示させるための手段として機能させるスライドショー実行プログラムとを記録する手段とを有するものである。
【００１０】
また、本発明の動画データ生成システムは、少なくとも、顧客が提供した情報記録媒体から複数の静止画像データを読み取る手段と、各々の前記静止画像データに対して、予め定められた一画像当たりの表示時間から計算される数量の、該静止画像データとの差分を示す差分データを生成する手段と、前記各々の静止画像データに前記差分データを付加して動画データを生成する手段と、ディスク型情報記録媒体の内周側の情報記録領域に前記動画データを記録し、その外周の情報記録領域に、少なくとも、前記複数の静止画像データとコンピュータを前記複数の静止画像データをスライド表示させるための手段として機能させるスライドショー実行プログラムとを記録する手段とを有するものである。
【００１１】
また、本発明の動画データ生成システムは、少なくとも、顧客が提供したフィルムを現像する手段と、現像したフィルムから複数の静止画像データを読み取る手段と、情報記録媒体に、少なくとも、前記複数の静止画像データと、コンピュータを前記静止画像データをスライド表示させるための手段として機能させるスライドショー実行プログラムと、コンピュータを各々の前記静止画像データに対して、予め定められた一画像当たりの表示時間から計算される数量の、該静止画像データとの差分を示す差分データを生成し、前記各々の静止画像データに前記差分データを付加して動画データを生成する手段として機能させる動画データ生成プログラムと、を記録する手段とを有するものである。
【００１２】
また、本発明の動画データ生成システムは、少なくとも、顧客が提供した情報記録媒体から複数の静止画像データを読み取る手段と、情報記録媒体に、少なくとも、前記複数の静止画像データと、コンピュータを前記静止画像データをスライド表示させるための手段として機能させるスライドショー実行プログラムと、コンピュータを各々の前記静止画像データに対して、予め定められた一画像当たりの表示時間から計算される数量の、該静止画像データとの差分を示す差分データを生成し、前記各々の静止画像データに前記差分データを付加して動画データを生成する手段として機能させる動画データ生成プログラムと、を記録する手段とを有するものである。
【００１３】
本発明においては、前記差分データは、対応する前記静止画像データとの差分が０のデータ、又は、前記差分データは、対応する前記静止画像データとの差分が０のデータと、予め定められた画面切り替え効果に基づいて計算された変化データとで構成され、前記動画データ生成手段では、前記静止画像データに、前記差分が０のデータと前記変化データとがこの順で付加される構成とすることができる。
【００１５】
また、本発明の動画データ生成方法は、少なくとも、現像手段を用いて顧客が提供したフィルムを現像するステップと、読み取り手段を用いて現像したフィルムから静止画像データを読み取るステップと、差分データ生成手段により、各々の前記静止画像データに対して、予め定められた一画像当たりの表示時間から計算される数量の、該静止画像データとの差分を示す差分データを生成するステップと、動画データ生成手段により、前記各々の静止画像データに前記差分データを付加して動画データを生成するステップと、記録手段を用いて、ディスク型情報記録媒体の内周側の情報記録領域に前記動画データを記録し、その外周の情報記録領域に、少なくとも、前記複数の静止画像データとコンピュータを前記複数の静止画像データをスライド表示させるための手段として機能させるスライドショー実行プログラムとを記録するステップとを有するものである。
【００１６】
また、本発明の動画データ生成方法は、少なくとも、読み取り手段を用いて顧客が提供した情報記録媒体から静止画像データを読み取るステップと、差分データ生成手段により、各々の前記静止画像データに対して、予め定められた一画像当たりの表示時間から計算される数量の、該静止画像データとの差分を示す差分データを生成するステップと、動画データ生成手段により、前記各々の静止画像データに前記差分データを付加して動画データを生成するステップと、記録手段を用いて、ディスク型情報記録媒体の内周側の情報記録領域に前記動画データを記録し、その外周の情報記録領域に、少なくとも、前記複数の静止画像データとコンピュータを前記複数の静止画像データをスライド表示させるための手段として機能させるスライドショー実行プログラムとを記録するステップとを有するものである。
【００１７】
また、本発明の動画データ生成方法は、少なくとも、現像手段を用いて顧客が提供したフィルムを現像するステップと、読み取り手段を用いて現像したフィルムから複数の静止画像データを読み取るステップと、記録手段を用いて、情報記録媒体に、少なくとも、前記複数の静止画像データと、コンピュータを前記複数の静止画像データをスライド表示させるための手段として機能させるスライドショー実行プログラムと、コンピュータを各々の前記静止画像データに対して予め定められた一画像当たりの表示時間から計算される数量の差分データを生成し、前記各々の静止画像データに前記差分データを付加して動画データを生成する手段として機能させる動画データ生成プログラムと、を記録するステップとを有するものである。
【００１８】
また、本発明の動画データ生成方法は、少なくとも、読み取り手段を用いて顧客が提供した情報記録媒体から複数の静止画像データを読み取るステップと、記録手段を用いて、情報記録媒体に、少なくとも、前記複数の静止画像データと、コンピュータを前記複数の静止画像データをスライド表示させるための手段として機能させるスライドショー実行プログラムと、コンピュータを各々の前記静止画像データに対して予め定められた一画像当たりの表示時間から計算される数量の差分データを生成し、前記各々の静止画像データに前記差分データを付加して動画データを生成する手段として機能させる動画データ生成プログラムと、を記録するステップとを有するものである。
【００２２】
このように、本発明の動画データ生成システムでは、顧客が持ち込んだフィルムや情報記録媒体から読み取った静止画像データから動画データが生成され、情報記録媒体には動画データと静止画像データとスライドショー実行プログラムと必要に応じて楽曲音声データとが記録されるため、パソコンの操作に不慣れな顧客は、ＤＶＤプレーヤー等の家庭用動画再生機器で動画データを再生して写真画像を楽しむことができ、また、パソコンの操作に慣れた顧客は、スライドショー実行プログラムを用いて静止画像データを表示したり、パソコンにインストールされた動画再生プログラムで動画データを再生することができ、顧客の好みの方法で写真画像を閲覧することができる。
【００２３】
また、静止画像データとスライドショー実行プログラムに加えて、コンピュータを静止画像データから動画データを生成する手段として機能させるための動画データ生成プログラムを情報記憶媒体に記録して顧客に提供することにより、顧客は自宅のパソコンでスライドショー実行プログラムにより静止画像データのスライド効果をシミュレーションした後、動画データ生成プログラムによりスライド効果に基づいた動画データを生成することができるため、静止画像データから生成される動画データをカスタマイズすることができ、より顧客の好みに合致したスライドショーを楽しむことができる。
【００２４】
【発明の実施の形態】
本発明に係る動画データシステムは、その好ましい一実施の形態において、ラボ等のフォトサービス店舗に、顧客が提供したフィルムを現像する手段と、現像したフィルムから複数の静止画像データを読み取る手段と、各々の静止画像データに対して、予め定められた一画像当たりの表示時間から計算される数量の差分データを作成する手段と、各々の静止画像データに前記差分データを付加して動画データを生成する手段と、情報記録媒体に前記動画データと、前記静止画像データと、コンピュータを前記静止画像データをスライド表示させるための手段として機能させるスライドショー実行プログラム、必要に応じて静止画像データのスライド表示に際して演奏される楽曲音声データとを記録する手段とを備えものであり、情報記録媒体を受け取った顧客は、ＤＶＤプレーヤー等の家庭用動画再生機器、又は、パソコン等のコンピュータ端末のいずれを用いても写真画像を閲覧することができる。
【００２５】
すなわち、静止画像データの一定時間表示、又はその切り替え動作を一連の動画データとしてＭＰＥＧエンコードするとともに、必要に応じてそれに同期させて再生する楽曲音声データもエンコードし、一つあるいは一連のファイルとしてＣＤ−Ｒ、ＤＶＤ−Ｒ等の情報記録媒体の最初の位置に記録し、その後に、動画作成に用いた元の静止画像データをＪＰＥＧ等の静止画フォーマットに準じて記録する。
【００２６】
このような形態で記録された情報記録媒体をＤＶＤプレーヤー等の家庭用画像再生装置で再生する場合は、ＤＶＤプレーヤーでは最初に記録した部分しか認識しないため、単なる動画データのディスクとして再生することができる。また、ＤＶＤプレーヤーでは、各チャプターの先頭画面の一覧表示や、チャプター間のジャンプなどの機能がついているものも多く、各静止画像データの表示時間毎をチャプターとして記録しておくことにより、動画データ再生時の操作性を良くすることができる。
【００２７】
また、上記形態で記録された情報記録媒体をパソコン等のコンピュータ端末で再生する場合は、パソコンでは全部のファイルを見ることができるため、情報記録媒体に記録されているスライドショー実行プログラムを用いて静止画像データを見ることができ、また、ＭＰＥＧデコードソフトで動画データを見ることも可能である。
【００２８】
また、情報記録媒体に静止画像データとスライドショー実行プログラムに加えて動画データ生成プログラムを記録することにより、顧客はパソコンでスライドショーをシミュレーションしてスライド効果（１画像の表示時間や画像の切り替え方法等）を好みに応じて設定することができ、その後、動画データ生成プログラムを用いて、設定したスライド効果に基づいた動画データを作成することができる。
【００２９】
【実施例】
上記した本発明の実施の形態についてさらに詳細に説明すべく、本発明の実施例について図面を参照して説明する。
【００３０】
［実施例１］
まず、本発明の第１の実施例に係る動画データ生成システム及び動画データ生成方法並びに情報記録媒体について、図１乃至図９を参照して説明する。図１は、第１の実施例に係る動画データ生成システムの構成を模式的に示す図であり、図２は、動画データの生成を行うラボ等のフォトサービス店舗に備える手段を示すブロック図である。また、図３は、本実施例の動画データ生成方法の手順を示すフローチャート図であり、図４は、情報記録媒体の記録領域の構成を示す図である。また、図５及び図７は、動画データ生成手順を示すフローチャート図、図６は、動画データの構成を模式的に示す図である。また、図８及び図９は、本実施例の動画データ生成システムの他の構成を示す図である。
【００３１】
なお、以下の説明で使用する「静止画像データ」とは、１枚の独立した画像データであり、ファイル形式によって、全ての画素のデータがそのまま書かれているものや、冗長度を省いて圧縮したデータとして書かれているものをある。最も良く使われるのがＪＰＥＧ方式で圧縮されて書かれる方法であるが、他の方式で圧縮されたファイルや圧縮されていないファイルであってもよい。
【００３２】
また、「動画データ」とは、ある一定時間間隔で画像を切り変えて表示するためのデータである。例えば、ＭＰＥＧなどのファイルでは、基準となる画像のデータは独立したデータとして書かれており、それだけで画像の再現が可能であるが、それ以降は、基準画像との差分だけが記録されるため、基準の画像と比較して初めて画像が再現される。
【００３３】
まず、動画データ生成システムの構成について図１を参照して説明する。本実施例の動画データ生成システム１は、写真画像を未現像ネガフィルム４ａとして提供する顧客３と、未現像ネガフィルム４ａを現像して静止画像データを読み取り、読み取った静止画像データを基にして動画データを生成し、ＣＤ−Ｒ、ＤＶＤ−Ｒ等の情報記録媒体５に書き込むラボ２とから構成される。
【００３４】
また、図２に示すように、ラボ２には、顧客３が提供した未現像ネガフィルム４ａを現像する現像手段２ａと、現像したフィルムから静止画像データを読み取る読み取り手段２ｂと、静止画像データから動画データを生成する動画データ生成手段２ｃと、情報記録媒体５に動画データ、静止画像データ、楽曲音声データ及びスライドショー実行プログラムを書き込む書き込み手段２ｄと、スライドショー実行プログラムを記憶するプログラム記憶手段２ｅと、楽曲音声データを記録する楽曲音声データ記憶手段２ｆとを備えている。
【００３５】
なお、上記各手段は別々に構成されていてもよく、また、現像手段２ａと読み取り手段２ｂ、動画データ生成手段２ｃと書き込み手段２ｄ等の２以上の手段が一体的に構成されていてもよい。また、情報記録媒体５に楽曲音声データを記録しない場合は、楽曲音声データ記憶手段２ｆを備える必要はない。更に、読み取り手段２ｂで読み取った画像データを基にして、通常のプリントを作成するプリンタを設けてもよい。このプリンタとしては、特に種類を問わず、インクジェットタイプ、電子写真タイプ、銀塩タイプ等種々のものを用いることができる。
【００３６】
また、以下では、顧客３がラボ２に未現像ネガフィルム４ａの現像及び動画データを記録した情報記録媒体５の作成を依頼する場合を例にして説明するが、コンビニエンスストア等の注文店舗を経由して依頼を行う構成としてもよい。また、顧客３は画像データを未現像のネガフィルム４ａとして提供する場合を主に説明するが、現像済みのネガフィルムやポジフィルム（現像済みでも未現像でも可）を提供する構成としたり、図８に示すように、プリントやデジタルカメラで取得した画像データを記録したコンパクトフラッシュ（登録商標）やスマートメディア、メモリースティック（登録商標）、マルチメディアカード、ＳＤメモリーカードなどのメモリーカードやＣＤ−Ｒなどの情報記録媒体６を提供する構成としても良い。
【００３７】
上記構成の動画データ生成システム１を用いて、顧客３がラボ２に未現像ネガフィルム４ａを持ち込んでから動画データ、静止画像データ、楽曲音声データ及びスライドショー実行プログラムが書き込まれた情報記録媒体５を入手するまでの手順について、図３のフローチャート図を参照して説明する。
【００３８】
まず、ステップＳ１０１において、顧客３はフィルムカメラで撮影した未現像ネガフィルム４ａをラボ２等のフォトサービス店舗に持ち込み、未現像ネガフィルム４ａの現像と情報記録媒体５の作成を依頼する。この未現像ネガフィルム４ａに記録されている写真画像は顧客自らが撮影したものであっても良く、他の顧客が撮影したものでも良い。また、カメラで撮影して取得した写真画像に限らず、インターネット等の通信ネットワークを介して取得した画像データや、画像加工ソフトウェアを使用して顧客が加工した画像データであっても良い。
【００３９】
その後、依頼を受けたラボ２では現像処理を開始するが、情報記録媒体５にスライドショーにおいて静止画像データと共に演奏する楽曲音声データを記録する場合には、ステップＳ１０２において、ラボ２は顧客３に対して楽曲音声データ記憶手段２ｆに記憶されている楽曲音声データの一覧を提示し、顧客３は一覧の中から所望の楽曲音声データを選択する。なお、情報記録媒体５に楽曲音声データを記録しない場合はこのステップは省略してもよく、また、楽曲音声データをラボ２が設定する構成としたり、ラボ２に楽曲音声データ選択端末を設置し、端末上で顧客３が楽曲音声データを選択する構成としてもよい。
【００４０】
そして、ステップＳ１０３において、ラボ２は現像手段２ａを用いて未現像ネガフィルム４ａを現像し、ステップＳ１０４で現像したネガフィルムをスキャナ等の読み取り手段２ｂを用いて読み取り、静止画像データを取得する。この静止画像データの形式としては、顧客３が保有するパソコンで読み取り可能な形式であればよく、ＪＰＥＧ、ＢＭＰ、ＪＩＦ等任意の形式のデータとすることができ、静止画像データをどの形式で情報記録媒体５に記録するかを顧客３が選択する構成としてもよい。なお、顧客３が画像データを現像済みのネガフィルムや情報記録媒体６として提供した場合は、ステップＳ１０３の現像処理は省略することができ、また、情報記録媒体６として提供した場合は、ステップＳ１０４で情報記録媒体６から静止画像データを直接読み込めばよい。
【００４１】
そして、ステップＳ１０５において、動画データ生成手段２ｃにより、読み取り手段２ｂで読み取った静止画像データを基にした動画データの生成を行う。この動画データの具体的な生成手順については後述する。なお、動画データの形式は、ＭＰＥＧ１、ＭＰＥＧ２等の家庭用動画再生機器で認識可能な任意の形式とすることができ、動画データをどの形式で情報記録媒体５に記録するかを顧客３が選択する構成としてもよい。
【００４２】
そして、ステップＳ１０６で、読み取った静止画像データと生成した動画データと楽曲音声データとスライドショー実行プログラムとをコンピュータで読み取り可能な状態で情報記録媒体５に書き込む。この情報記録媒体５としては、前述したようにＣＤ−Ｒ、ＤＶＤ−Ｒ等の家庭用動画再生機器で再生可能な媒体であればよい。また、書き込みに際して、動画データをＤＶＤプレーヤー等の家庭用動画再生機器で再生できるように、初めに動画データを書き込み、その後、静止画像データ、楽曲音声データ、スライドショー実行プログラムを書き込むことが好ましい。このような順番でデータを書き込むと、情報記録媒体５は図４に示すような構成となり、最内周部分に動画データ記録領域５ａが形成され、その外側に、静止画像データ記録領域５ｂ、楽曲音声データ記録領域５ｃ、プログラム記録領域５ｄ等が順次形成される。
【００４３】
なお、静止画像データ記録領域５ｂ、楽曲音声データ記録領域５ｃ、プログラム記録領域５ｄの順序は図の構成に限らず、最内周部分に動画データ記録領域５ａがある限りにおいてどのような順番であってもよい。また、顧客３のパソコンに予めスライドショー実行プログラムがインストールされている場合は、スライドショー実行プログラムの書き込みを省略することもでき、情報記録媒体５にスライドショー実行プログラムを記録するか否かを顧客３が選択できる構成とすることもできる。
【００４４】
その後、ステップＳ１０７において、ラボ２は、この情報記録媒体５と現像済みネガフィルム４ｂとを顧客３に提供し、顧客３は、自宅のＤＶＤプレーヤー等の家庭用画像再生装置又はパソコン等のコンピュータ端末を用いて写真画像を閲覧する。
【００４５】
次に、静止画像データから動画データを生成する手順について、図５乃至図７を参照して説明する。
【００４６】
本実施例の動画データ生成方法は、動画データ生成手段２ｃにより実行される。動画データ生成手段２ｃでは、図５及び図６に示すように、スライド効果により予め定められた一つの静止画像データを表示する時間から該時間内に表示される画像データの数量を演算するステップ（Ｓ２０１）と、読み取り手段２ｂにより読み取られた複数の静止画像データ９を順次抽出するステップ（Ｓ２０２）と、前記数量分の差分データ（本実施例の場合は同一の画像を表示するため差分は”０”となる。以下差分０データ１０ａと呼ぶ。）を生成するステップ（Ｓ２０３）と、抽出した静止画像データ９に生成した差分０データ１０ａを付加した複合データ１１を生成するステップ（Ｓ２０４）と、複合データ１１を繋ぎ合わせて動画データ１２を生成するステップ（Ｓ２０５）とが実行される。
【００４７】
すなわち、本実施例の動画データ生成方法は、単に静止画像データ９を繋ぎ合わせるのではなく、表示時間から演算した数量分の差分０データを各々の静止画像データに付加し、静止画像データと差分０データとからなる複合データ１１を生成し、この複合データ１１を繋ぎ合わせるものであり、このような処理を施すことにより、静止画像データをスライドショーで表示する場合と同様の表示効果を持つ動画データ１２を生成することができる。
【００４８】
以下、図７を参照してその具体的な手順について説明する。動画データの生成にあたって、フレームレートは自由に設定することができるが、動画データを一般のテレビに表示するために６０コマ／秒に設定する。また、基準画面は３０枚に１枚毎とし、５秒間隔で画像を切り替えるものとする。
【００４９】
まず、ステップＳ３０１で、Ｘ（静止画像データの番号）を１、Ｙ（０．５秒間に表示される画像データの数）を０、Ｚ（Ｙの繰り返し回数）を０に設定する。次に、ステップＳ３０２で、Ｘ番目の静止画像データを基準画面としてファイルに記録する。
【００５０】
次に、ステップＳ３０３からステップＳ３０５で、１／６０秒後の画像データとして、前の画像との差分を差分０としてファイルに追加し、これを２９回繰り返して、０．５秒間に表示される画像データ群を生成する。
【００５１】
次に、ステップ３０６、３０７で、上記画像データ群の生成操作を９回繰り返して、５秒間表示される複合データを生成する。
【００５２】
そして、ステップＳ３０８、３０９で、上記複合データの生成操作を静止画像データの数だけ繰り返すことにより、各々の静止画像データが５秒表示される動画データが生成される。
【００５３】
この動画データの画像フォーマットとしてＭＰＥＧ１を用い、情報記録媒体５としてＣＤ−Ｒに記録すれば、ＶｉｄｅｏＣＤのディスクを作成することができ、一般のＤＶＤプレーヤーで再生することができるようになる。ＶｉｄｅｏＣＤの規格には楽曲音声データの規定もあるので、それに従って楽曲音声データも付加すれば音楽付の動画データとすることができる。
【００５４】
また、動画データの画像フォーマットとしてＭＰＥＧ２を用い、情報記録媒体５としてＤＶＤ−Ｒに記録すれば、ＤＶＤ−Ｖｉｄｅｏのディスクを作成することができ、一般のＤＶＤプレーヤーで再生することができる。ＤＶＤ−Ｖｉｄｅｏの規格には楽曲音声データの規定もあるので、それに従って楽曲音声データも付加すれば音楽付の動画データとすることができる。
【００５５】
また、情報記録媒体５をパソコンで再生する場合、パソコンに予め実行ファイル（スライドショー実行プログラム）がインストールされていれば、静止画像データと、その表示時間、切り替えの効果の選択等が実行ファイルに保存されるが、この実行ファイルは、同じ実行ファイルがインストールされているパソコン同士でしか互換性はない。そこで、情報記録媒体５に静止画像データとその表示時間、切り替え効果の選択、実行ファイルをまとめて保存しておけば、同じ実行ファイルがインストールされているかどうかを気にする必要がなくなるというメリットがある。
【００５６】
情報記録媒体５に記録するスライドショー実行プログラムとしては、本願発明者の先願（特願２００２−１３７８９号）において開示したプログラムが好適である。このプログラムでは、静止画像データと楽曲音声データとが独立して表示／演奏されるのではなく、相互に関連づけて表示／演奏されるため、静止画像データと楽曲音声データとが一体となって再生されるスライドショーを楽しむことができる。
【００５７】
具体的には、上記スライドショー実行プログラムは、コンピュータを、楽曲音声データの演奏時間を演算する処理や楽曲音声データのテンポ、フレーズ、音声データ、休止符を抽出する処理、静止画像データの表示タイミングを設定する処理等を行う楽曲音声データ分析手段や、静止画像データから特定の形状や色彩を抽出する処理、静止画像データの特徴を参照して画像データに適した楽曲音声データを選択する処理等を行う画像データ分析手段として機能させることができる。
【００５８】
そして、例えば、楽曲音声データの形式やサイズ、ヘッダ情報等から楽曲音声データの演奏時間を抽出し、その演奏時間を表示する静止画像データの数で割って１静止画像データ当たりの表示時間を演算し、楽曲音声データの演奏終了と同時に静止画像データの表示が終了するようにしたり、複数の楽曲音声データの演奏終了と同時に静止画像データの表示が終了するようにスライドショーを設定することができる。
【００５９】
また、楽曲音声データの強弱、周波数等から楽曲音声データのテンポを抽出し、楽曲音声データのテンポに合わせてスライド効果の時間（例えば、フェードイン／フェードアウトの時間）を設定し、テンポの速い楽曲の場合はスライド効果を早くし、逆にテンポの遅い楽曲の場合はスライド効果の時間を長くして、楽曲のテンポとスライド効果との整合を図ることもできる。
【００６０】
また、楽曲音声データの強弱、周波数等から楽曲音声データの音声データや休止符を抽出して楽曲をフレーズ毎に分割し、例えば、１フレーズに１枚の静止画像データが表示されるようにスライドショーを設定することもでき、楽曲音声データのフレーズと静止画像データの表示とを同期させることにより、楽曲と画像との一体感が生まれ、スライドショーの効果を高めることもできる。
【００６１】
このように、本実施例の動画データ生成システム１を用いると、顧客３が未現像ネガフィルム４ａや情報記録媒体６を提供すると、ラボ２で静止画像データを読み取り、予め定めたスライド効果に基づいて動画データを生成し、情報記録媒体５に、動画データと静止画像データと必要に応じて楽曲音声データとスライドショー実行プログラムとがコンピュータで読み取り可能な状態で書き込まれるため、顧客３はＤＶＤプレーヤー等の家庭用動画再生機器又はパソコン等のコンピュータ端末のいずれの装置を用いても写真画像を楽しむことができる。
【００６２】
なお、上記説明では、ラボ２内に楽曲音声データを記憶する手段２ｆを備える構成としたが、図９に示すように、ラボ２を通信ネットワーク８を介して楽曲音声データの配信サービスを行うサーバー７と接続することもできる。このような構成とすることにより、ラボ２側で楽曲音声データの記憶やデータの更新作業を行う必要がなくなり、顧客３に常に最新の楽曲音声データを提供することができる。
【００６３】
［実施例２］
次に、本発明の第２の実施例に係る動画データ生成方法について、図１０乃至図１３を参照して説明する。図１０、図１２及び図１３は、動画データの生成手順を示すフローチャート図であり、図１１は、動画データの構成を模式的に示す図である。
【００６４】
前記した第１の実施例では、静止画像データが瞬時に切り替わるスライド効果に基づいて動画データを生成したが、一つの静止画像データから次の静止画像データに切り替わる際に、所定のスライド効果で画面が徐々に切り替わるように変化する動画データを生成することも可能である。
【００６５】
このようなスライド効果の動画データを生成する手順について、図１０乃至図１３を参照して説明する。
【００６６】
本実施例の動画データ生成手段２ｃでは、図１０及び図１１に示すように、スライド効果により予め定められた一つの静止画像データを表示する時間から該時間内に表示される画像データの数量を演算するステップ（Ｓ４０１）と、読み取り手段２ｂにより読み取られた複数の静止画像データ９を順次抽出するステップ（Ｓ４０２）と、前記数量の内、同じ画像を表示する数量分の差分０データ１０ａを生成するステップ（Ｓ４０３）と、前記数量の内、画面切り替え効果を表示する数量分の差分データ（以下、変化データ１０ｂと呼ぶ。）を生成するステップ（Ｓ４０４）と、抽出した静止画像データ９に生成した差分０データ１０ａと変化データ１０ｂとを付加した複合データ１１を生成するステップ（Ｓ４０５）と、複合データ１１を繋ぎ合わせて動画データ１２を生成するステップ（Ｓ４０６）とが実行される。
【００６７】
以下、図１２及び図１３を参照してその具体的な手順について説明する。動画データ生成条件として、フレームレートは６０コマ／秒、基準画面は３０枚に１枚毎とし、５秒間隔で画像を切り替え、５秒の内の最後の０．５秒は画像切り替えの変化を生成させるものとする。なお、画像切り替え効果としては、スライドショーにおいて設定可能な効果、例えば、ページをめくるように画面を切り替える効果、画面が徐々に消滅／出現する効果やページが上下左右に移動する効果等、任意の効果とすることができるが、ここでは、左から徐々に次の画像に切り替わる効果を例として説明する。
【００６８】
まず、ステップＳ５０１で、Ｘ（静止画像データの番号）を１、Ｙ（０．５秒間に表示される画像データの数）を０、Ｚ（Ｙの繰り返し回数）を０に設定する。次に、ステップＳ５０２で、Ｘ番目の静止画像データを基準画面としてファイルに記録する。
【００６９】
次に、ステップＳ５０３からステップＳ５０５で、１／６０秒後の画像データとして、前の画像との差分を差分０としてファイルに追加し、これを２９回繰り返して０．５秒間に表示される画像データ群を生成する。
【００７０】
次に、ステップ５０６、５０７で、上記画像データ群の生成操作を９回繰り返して、４．５秒間表示される複合データを生成する。
【００７１】
次に、画面切り替え効果を実行するが、本実施例では、左から徐々に次の画像に切り替わる変化をするものとしているため、図１３に示すような処理が行われる。具体的には、ステップＳ６０１で、Ｋ（変化データの数）＝１に設定し、次の画像データとして、画面の左端１／３０を次の画像とし、それ以外は差分０とする（ステップＳ６０２）。そして、ステップＳ６０３、６０４で、この操作を２９回繰り返して０．５秒間表示される複合データを生成する。
【００７２】
そして、ステップＳ５０９、５１０で、上記複合データの生成操作を静止画像データの数だけ繰り返すことにより、一つの静止画像データが４．５秒間表示され、０．５秒間次の静止画像データに徐々に切り替わる動画データが生成される。
【００７３】
このように、本実施例では、所定のスライド効果で画面が切り替わるように動画データが生成されるため、ＤＶＤプレーヤー等の家庭用動画再生機器又はパソコン等のコンピュータ端末のいずれの装置を用いても写真画像をより効果的に再生することができる。
【００７４】
［実施例３］
次に、本発明の第３の実施例に係る動画データ生成システム、動画データ生成方法及び動画データ生成プログラム並びに情報記録媒体について、図１４乃至図１６を参照して説明する。図１４は、第３の実施例に係る動画データ生成システムの構成を模式的に示す図であり、図１５は、ラボ等のフォトサービス店舗に備える手段を示すブロック図である。また、図１６は、本実施例の動画データの生成手順を示すフローチャート図である。
【００７５】
前記した第１及び第２の実施例では、ラボ２で動画データの生成を行ったが、動画データを生成するには一つの静止画像データの表示時間や画面の切り替え効果等のスライド効果を予め設定しなければならず、情報記録媒体５を受け取った顧客３によってはラボ２で設定したスライド効果が顧客３の好みに合致しない場合もある。そこで、本実施例では顧客３が自宅のパソコンを用いてスライドショーを実行し、スライド効果を種々試してから顧客３が自分で動画データを生成できるようにすることを特徴とするものである。
【００７６】
図１４に示すように、本実施例の動画データ生成システム１は、未現像ネガフィルム４ａとして写真画像を提供する顧客３と、未現像ネガフィルム４ａを現像して静止画像データを読み取り、読み取った静止画像データとスライドショー実行プログラムと動画データ生成プログラムとをＣＤ−Ｒ、ＤＶＤ−Ｒ等の情報記録媒体５に書き込むラボ４と、情報記録媒体５を用いて動画データを作成するパソコン３ａとから構成される。
【００７７】
また、図１５に示すように、ラボ２には、顧客３が提供した未現像ネガフィルム４ａを現像する現像手段２ａと、現像したフィルムから静止画像データを読み取る読み取り手段２ｂと、情報記録媒体５に静止画像データ、楽曲音声データ、スライドショー実行プログラム及び動画データ生成プログラムを書き込む書き込み手段２ｄと、スライドショー実行プログラム及び動画データ生成プログラムを記憶するプログラム記憶手段２ｅと、楽曲音声データを記録する楽曲音声データ記憶手段２ｆとを備えている。
【００７８】
なお、第１の実施例と同様に、上記各手段は別々に構成されていても、現像手段２ａと読み取り手段２ｂ等の２以上の手段が一体的に構成されていてもよく、情報記録媒体５に楽曲音声データを記録しない場合は楽曲音声データ記憶手段２ｆを設ける必要はない。また、読み取り手段２ｂで読み取った画像データを基にして、通常のプリントを作成するインクジェットタイプ、電子写真タイプ、銀塩タイプ等のプリンタを設けてもよい。また、コンビニエンスストア等の注文店舗を経由して依頼を行う構成としたり、現像済みのネガフィルムやポジフィルム、プリントやデジタルカメラで取得した画像データを記録したメモリーカードやＣＤ−Ｒなどの情報記録媒体６を提供する構成としても良い。
【００７９】
上記構成の動画データ生成システム１を用いて、顧客３がラボ２に未現像ネガフィルム４ａを持ち込んでから静止画像データ、楽曲音声データ、スライドショー実行プログラム及び動画データ生成プログラムが書き込まれた情報記録媒体５を入手するまでの手順について、図１６のフローチャート図を参照して説明する。
【００８０】
まず、ステップＳ７０１において、顧客３はフィルムカメラで撮影した未現像ネガフィルム４ａをラボ２等のフォトサービス店舗に持ち込み、未現像ネガフィルム４ａの現像と情報記録媒体５の作成を依頼する。その際、情報記録媒体５にスライドショーにおいて静止画像データと共に演奏する楽曲音声データを記録する場合には、ステップＳ７０２において、ラボ２は顧客３に対して楽曲音声データ記憶手段２ｆに記憶されている楽曲音声データの一覧を提示し、顧客３は一覧の中から所望の楽曲音声データを選択する。なお、情報記録媒体５に楽曲音声データを記録しない場合はこのステップは省略してもよい。
【００８１】
そして、ステップＳ７０３において、ラボ２は現像手段２ａを用いて未現像ネガフィルム４ａを現像し、ステップＳ７０４で現像したネガフィルムをスキャナ等の読み取り装置４ｂを用いて読み取り、静止画像データを取得する。この静止画像データとしては、顧客３が保有するパソコンで読み取り可能な形式であればよく、どの形式で読み取るかを顧客３が選択する構成としてもよい。なお、顧客３が画像データを現像済みのネガフィルムや情報記録媒体６として提供した場合は、ステップＳ７０３の現像処理は省略することができ、また、情報記録媒体６として提供した場合は、ステップＳ７０４で情報記録媒体６から静止画像データを直接読み込めばよい。
【００８２】
そして、ステップＳ７０５において、読み取った静止画像データと楽曲音声データとスライドショー実行プログラムと動画データ生成プログラムとをコンピュータで読み取り可能な状態でＣＤ−Ｒ、ＤＶＤ−Ｒ等の情報記録媒体５に書き込む。なお、書き込みに際して、本実施例では情報記録媒体５をパソコン３ａで読み取ることを前提としているため、書き込みの順番は任意に設定してよい。その後、ステップＳ７０６において、ラボ２は、この情報記録媒体５と現像済みネガフィルム４ｂとを顧客３に提供する。
【００８３】
この情報記録媒体５に記録される動画データ生成プログラムは、第２の実施例で示した動画データ生成手段２ｃと同様に、コンピュータを、スライド効果により予め定められた一つの静止画像データを表示する時間から該時間内に表示される画像データの数量を演算する手段と、読み取り手段２ｂにより読み取られた複数の静止画像データ９を順次抽出する手段と、前記数量の内、同じ画像を表示する数量分の差分０データ１０ａを生成する手段と、前記数量の内、画面切り替え効果を表示する数量分の変化データ１０ｂを生成する手段と、抽出した静止画像データ９に生成した差分０データ１０ａと変化データ１０ｂとを付加した複合データ１１を生成する手段と、複合データ１１を繋ぎ合わせて動画データ１２を生成する手段として機能させることができる。
【００８４】
次に、ステップＳ７０７において、情報記録媒体５を入手した顧客３は、自宅のパソコン３ａを用いて情報記録媒体５に記録されているスライドショー実行プログラムにより静止画像データをスライド表示し、スライド効果設定画面で１枚の静止画像データを表示する時間や表示画面の切り替え効果等のスライド効果を調整して動画データとしての表示した場合の効果をシミュレーションする。
【００８５】
そして、ステップ７０８において、顧客３がパソコン３ａ上で動画データ生成プログラムを駆動すると、動画データ生成プログラムは、設定したスライド効果に基づく表示時間や画面切り替え時の変化条件等を参照して、コンピュータを上記手段として機能させて、静止画像データから動画データを生成する。
【００８６】
このようにして生成された動画データは顧客３の好みのスライド効果で静止画像データが表示されるため、顧客３の写真画像に適した表示効果を実現することができる。そして、生成した動画データを知人、友人等にプレゼントする場合は、ステップＳ７０９で、パソコン３ａを用いて動画データを単独で、又は動画データに静止画像データ、楽曲音声データ、スライドショー実行プログラムを加えてＣＤ−ＲやＤＶＤ−Ｒ等の情報記録媒体５に書き込む。そして、情報記録媒体５を受け取った顧客は、ＤＶＤプレーヤー等の家庭用動画再生機器やパソコン等のコンピュータ端末で動画データや静止画像データを閲覧する。
【００８７】
このように、本実施例の動画データ生成システム１で作成された情報記録媒体５には、静止画像データに加えて、スライドショー実行プログラムと動画データ生成プログラムと必要に応じて楽曲音声データとが記録されており、顧客３はパソコン３ａで実際にスライドショーをシミュレーションしてから動画データを作成することができるため、動画データをカスタマイズすることができ、この動画データをＣＤ−Ｒ、ＤＶＤ−Ｒ等に記録して友人、知人等にプレゼントすることにより、友人、知人は個性的にアレンジされたスライドショーをＤＶＤプレーヤー等で簡単に再生することができる。
【００８８】
なお、前記した第１の実施例と同様に、ラボ２を通信ネットワーク８を介して楽曲音声データの配信サービスを行うサーバー７と接続する構成としても良い。
また、上記各実施例では、顧客３は未現像ネガフィルム４ａや情報記録媒体６をラボ２に持ち込む構成としたが、本発明は上記実施例に限定されるものではなく、プリントサービスを行うｗｅｂサイトで顧客３の静止画像データを受け取り、作成した動画データ等を情報記録媒体５に記録して顧客に提供したり、通信ネットワークを介して動画データ等を送信する構成とすることもできる。
【００８９】
【発明の効果】
以上説明したように、本発明の動画データ生成システム及び動画データ生成方法によれば、下記記載の効果を奏する。
【００９０】
本発明の第１の効果は、顧客はフィルムカメラで撮影したフィルムやデジタルカメラで撮影した画像データを記録した情報記録媒体を提供するのみで、ＤＶＤプレーヤー等の家庭用動画再生機器でもパソコン等のコンピュータ端末でも写真画像を閲覧することができるということである。
【００９１】
その理由は、フィルムの現像を行うラボ等のフォトサービス店舗に、フィルムから読み取った静止画像データを基にして動画データを作成する手段を備え、動画データが家庭用動画再生機器で再生可能な状態で情報記録媒体に記録されて顧客に提供されるからである。
【００９２】
また、本発明の第２の効果は、顧客の好みのスライド効果で表示される動画データを作成することができるということである。
【００９３】
その理由は、本発明の情報記録媒体に動画データ生成プログラムを記録することにより、顧客はスライドショーをシミュレーションしてスライド効果を設定した後、その設定を反映した動画データを自分で作成することができるからである。
【図面の簡単な説明】
【図１】本発明の第１の実施例に係る動画データ生成システムの構成を示す図である。
【図２】本発明の第１の実施例に係る動画データ生成システムのラボの構成を示すブロック図である。
【図３】本発明の第１の実施例に係る動画データ生成方法の手順を示すフローチャート図である。
【図４】本発明の第１の実施例に係る情報記録媒体のデータ記録領域を示す図である。
【図５】本発明の第１の実施例に係る動画データの生成手順を示すフローチャート図である。
【図６】本発明の第１の実施例に係る動画データの構成を示す図である。
【図７】本発明の第１の実施例に係る動画データの具体的生成手順を示すフローチャート図である。
【図８】本発明の第１の実施例に係る動画データ生成システムの他の構成を示す図である。
【図９】本発明の第１の実施例に係る動画データ生成システムの他の構成を示す図である。
【図１０】本発明の第２の実施例に係る動画データ生成方法の手順を示すフローチャート図である。
【図１１】本発明の第２の実施例に係る動画データの構成を示す図である。
【図１２】本発明の第２の実施例に係る動画データの具体的生成手順を示すフローチャート図である。
【図１３】本発明の第２の実施例に係る動画データの具体的生成手順を示すフローチャート図である。
【図１４】本発明の第３の実施例に係る動画データ生成システムの構成を示す図である。
【図１５】本発明の第３の実施例に係る動画データ生成システムのラボの構成を示す図である。
【図１６】本発明の第３の実施例に係る動画データ生成方法の手順を示すフローチャート図である。
【符号の説明】
１  動画データ生成システム
２  ラボ
２ａ  現像手段
２ｂ  読み取り手段
２ｃ  動画データ生成手段
２ｄ  書き込み手段
２ｅ  プログラム記憶手段
２ｆ  楽曲音声データ記憶手段
３  顧客
３ａ  パソコン
４ａ  未現像ネガフィルム
４ｂ  現像済みネガフィルム
５  情報記録媒体
５ａ  動画データ記録領域
５ｂ  静止画像データ記録領域
５ｃ  音楽データ記録領域
５ｄ  プログラム記録領域
６  情報記録媒体
７  サーバー
８  通信ネットワーク
９  静止画像データ
１０ａ  差分０データ
１０ｂ  変化データ
１１  複合データ
１２  動画データ
【図１】
0004542301.tif 000002
【図２】
0004542301.tif 000003
【図３】
0004542301.tif 000004
【図４】
0004542301.tif 000005
【図５】
0004542301.tif 000006
【図６】
0004542301.tif 000007
【図７】
0004542301.tif 000008
【図８】
0004542301.tif 000009
【図９】
0004542301.tif 000010
【図１０】
0004542301.tif 000011
【図１１】
0004542301.tif 000012
【図１２】
0004542301.tif 000013
【図１３】
0004542301.tif 000014
【図１４】
0004542301.tif 000015
【図１５】
0004542301.tif 000016
【図１６】
0004542301.tif 000017